(57)【要約】【課題】水滴の侵入を防ぐ構造を備えたコネクタを提供する  【解決手段】コネクタ１０は、ハウジング１１を備えている。そして、このハウジング１１は、フード１３を有する。このフード１３は、嵌合した状態の相手コネクタ２０から離間し、矢印Ｘで示す嵌合方向に対し交わる向きに眺めたときに、相手コネクタ２０の全域を覆っている。そして、このフード１３は、相手コネクタ２０の全域を覆いながら相手コネクタ２０を一周に亘って取り巻いている。また、このコネクタ１０は、フード１３の開口１３１側前端近傍においてフード１３の外面に立設した周回壁１５を有する。この周回壁１５は、フード１３を一周に亘って取り巻いている。【選択図】図５
2020080237.tif 000002
【特許請求の範囲】
【請求項１】
ハウジングを有するコネクタであって、
前記ハウジングが、上方から眺めたときに、前記コネクタと嵌合した状態の相手コネクタの全域を覆う、該相手コネクタから離間した庇部を有することを特徴とするコネクタ。      
【請求項２】
前記庇部の前端近傍において該庇部の上面に立設し嵌合方向に対し交わる向きに延びる立壁を有することを特徴とする請求項１に記載のコネクタ。
【請求項３】
前記ハウジングが、嵌合方向に対し交わる向きに眺めたときに該相手コネクタの全域を覆いながら該相手コネクタを一周にわたって取り巻く、前記相手コネクタから離間し前記庇部を兼ねたフードを有することを特徴とする請求項１または２に記載のコネクタ。
【請求項４】
前記ハウジングが、
嵌合方向に対し交わる向きに眺めたときに該相手コネクタの全域を覆いながら該相手コネクタを一周にわたって取り巻く、前記相手コネクタから離間し前記庇部を兼ねたフードと、
前記フードの開口側前端近傍において該フードの外面に立設し該フードを一周に亘って取り巻く、前記立壁を兼ねた周回壁とを有することを特徴とする請求項２に記載のコネクタ。
【発明の詳細な説明】
【技術分野】
【０００１】
本発明は、コネクタに関する。
【背景技術】
【０００２】
例えば結露に起因する水や不用意にこぼした水などに起因する水滴がたれ落ちる可能性がある環境下にコネクタを配置する必要が生じる場合がある。このような環境下には防水型のコネクタを配置することが考えられる。しかしながら、防水型のコネクタは防水のための新たな部材や複雑な構造が必要となり、コスト高となるおそれがある。
【０００３】
ここで、特許文献１には、水滴侵入防止用の突条を形成し、その突条を相手コネクタのハウジングに突き当てることにより水滴の侵入を防ぐフラット配線材用コネクタが開示されている。
【先行技術文献】
【特許文献】
【０００４】
【特許文献１】特開２００３−１５７９２８号公報
【発明の概要】
【発明が解決しようとする課題】
【０００５】
しかしながら、上掲の特許文献１に開示されたフラット配線材用コネクタの場合、相手コネクタの幅方向中央部分にのみ上記の突条が形成されている。このため、その突条の脇からの水滴の侵入を防ぎきれないおそれがある。
【０００６】
本発明は、上記事情に鑑み、水滴の侵入を防ぐ構造を備えたコネクタを提供することを目的とする。
【課題を解決するための手段】
【０００７】
上記目的を達成する本発明のコネクタは、ハウジングを有するコネクタであって、
そのハウジングが、上方から眺めたときに、本発明のコネクタと嵌合した状態の相手コネクタの全域を覆う、相手コネクタから離間した庇部を有することを特徴とする。
【０００８】
本発明のコネクタは、上方から眺めたときに、本発明のコネクタと嵌合した状態の相手コネクタの全域を覆う庇部を有する。このため、落下してきた水滴は庇部の上に落下し、水滴が相手コネクタに垂れ落ちることが防止される。
【０００９】
また、本発明のコネクタに備えられている庇部は、相手コネクタからは離間している。このため、庇部に落下した水滴が庇部を伝って流れてもその水滴が相手コネクタに触れることが防止される。
【００１０】
ここで、本発明のコネクタにおいて、上記庇部の前端近傍において庇部の上面に立設し嵌合方向に対し交わる向きに延びる立壁を有することが好ましい。
【００１１】
この立壁を有する構造の場合、立壁により、庇部の上に落下した水滴が庇部の内側へ回り込むことが防止される。
【００１２】
また、本発明のコネクタにおいて、上記ハウジングが、嵌合方向に対し交わる向きに眺めたときに相手コネクタの全域を覆いながら相手コネクタを一周にわたって取り巻く、相手コネクタから離間し上記庇部を兼ねたフードを有することが好ましい。
【００１３】
このフードを備えると、例えば横向きや上下逆向きなど、コネクタの姿勢の自由度が向上する。
【００１４】
さらに、本発明のコネクタにおいて、上記ハウジングが、
嵌合方向に対し交わる向きに眺めたときに相手コネクタの全域を覆いながら相手コネクタを一周にわたって取り巻く、相手コネクタから離間し上記庇部を兼ねたフードと、
上記フードの開口側前端近傍においてフードの外面に立設しフードを一周に亘って取り巻く、上記立壁を兼ねた周回壁とを有することが好ましい。
【００１５】
周回壁を有する構造の場合、コネクタを例えば横向きや上下逆向きなどの姿勢に配置しても、フードに落下した水滴がフードの内側へ回り込むことが防止される。
【発明の効果】
【００１６】
以上の本発明のコネクタによれば、水滴の侵入が防止される。
【図面の簡単な説明】
【００１７】
【図１】本発明の第１実施形態のコネクタの斜視図である。
【図２】図１に示されたコネクタの断面図である。
【図３】図１に示されたコネクタの側面図である。
【図４】本発明の第２実施形態のコネクタの斜視図である。
【図５】図４に示されたコネクタの断面図である。
【図６】図４に示されたコネクタの側面図（Ａ）と、図５に示された円Ｒの部分の拡大図（Ｂ）である。
【図７】本発明の第３実施形態のコネクタの斜視図である。
【図８】本発明の第４実施形態のコネクタの斜視図である。
【発明を実施するための形態】
【００１８】
以下、本発明の実施の形態について説明する。
【００１９】
図１は、本発明の第１実施形態のコネクタの斜視図である。
【００２０】
また、図２は、図１に示されたコネクタの断面図である。ただし、この図２には、本コネクタ１０に嵌合した状態の相手コネクタ２０も示されている。また、この図２には、実装時の姿勢にあるコネクタ１０が示されている。すなわち、このコネクタ１０は、フード１３の開口１３１をやや下に向けた姿勢に取り付けられている。
【００２１】
図１に示すように、コネクタ１０は、相手コネクタ２０（図２参照）が矢印Ｘで示す嵌合方向に差し込まれる嵌合開口１２を有する。さらに、このコネクタ１０は、フード１３を有する。このフード１３は、嵌合状態の相手コネクタ２０から離間し、嵌合方向に対し交わる向きに眺めたときに相手コネクタ２０の全域を覆いながら相手コネクタ２０を一周に亘って取り巻いている。このフード１３は、相手コネクタ２０とフード１３との間に指が入る程度に相手コネクタ２０から離間している。これにより、相手コネクタ２０を嵌合／抜去するにあたりフード１３内に指を入れることを可能としている。また、フード１３の内面には、フード１３を補強する複数にリブ１８が設けられている。これらのリブ１８は、傾斜した曲面により、相手コネクタ２０の嵌合を案内することも可能である。
【００２２】
図３は、図１に示されたコネクタの側面図である。この図３には、水滴が落下した時の、その水滴が流れるルートが示されている。
【００２３】
このコネクタ１０には、フード１３よりも後方に、フランジ１４を有する。そして、このコネクタ１０の、フランジ１４よりも後方の部分は、ユニットケース３０内に収納される。
【００２４】
ユニットケース３０の上に、水滴４０ａが矢印ａ１で示す向きに落下する。すると、その落下した水滴は、矢印ａ２，ａ３，・・，ａ７のルートを通って下に落ちる。
【００２５】
また、フード１３の上に、水滴４０ｂが矢印ｂ１で示す向きに落下する。すると、その落下した水滴は、矢印ｂ２，ｂ３，・・，ｂ５のルートを通って下に落ちる。したがって、落下した水滴がフード１３内の相手コネクタを濡らすことが防止される。なお、この実施形態では、落下した水滴がフード１３の内側に回り込むことを積極的には防止していない。ただし、フード１３の内側に回り込む水滴は僅かと考えられる。また、相手コネクタ２０はフード１３から離間しているため、水滴がフード１３の内側に多少回り込んだとしても、それによって相手コネクタ２０が濡れることはない。
【００２６】
図４は、本発明の第２実施形態のコネクタの斜視図である。
【００２７】
この第２実施形態において、上述の第１実施形態における各要素に対応する要素には、第１実施形態において付した符号と同じ符号を付して示す。そして、この第２実施形態の説明にあたっては、上述の第１実施形態との相違点についてのみ、説明する。
【００２８】
また、図５は、図４に示されたコネクタの断面図である。この図５には、本コネクタ１０に嵌合した状態の相手コネクタ２０も示されている。
【００２９】
この第２実施形態のコネクタ１０は、フード１３の開口１３１側前端近傍においてフード１３の外面に立設した周回壁１５を有する。この周回壁１５は、フード１３を一周に亘って取り巻いている。
【００３０】
図６は、図４に示されたコネクタの側面図（Ａ）と、図５に示された円Ｒの部分の拡大図（Ｂ）である。
【００３１】
この図６には、水滴が落下した時の、その水滴が流れるルートが示されている。
【００３２】
ユニットケース３０の上に水滴４０ａが矢印ａ１に示す向きに落下する。この場合の落下した水滴が流れるルートは、上述の第１実施形態の場合と同様である。
【００３３】
また、フード１３の、周回壁１５よりも後方に位置に、水滴４０ｃが矢印ｃ１に示す向きに落下する。すると、その落下した水滴は、進路が周回壁１５に阻まれて周回壁１５の背面１５１に沿い矢印ｃ２，ｃ３，・・，ｃ５のルートを通って下に落ちる。したがって、フード１３上に落下した水滴がフード１３内の相手コネクタを濡らすことが、上述の第１実施形態の場合よりもさらに確実に防止される。
【００３４】
また、図６（Ｂ）に示すように、周回壁１５の上に、水滴４０ｄが矢印ｄ１に示す向きに落下する。すると、その落下した水滴は、矢印ｄ２に示すように周回壁１５の前面１５２に沿って落下する。ここで、周回壁１５の、フード１３側の根もとの部分には斜面１５３が形成されている。このため、周回壁１５の前面１５２に沿って落下してきた水滴は、矢印ｄ３に示すように斜面１５３を滑り落ち、さらに矢印ｄ４，ｄ５のルートを通って下に落ちる。ここで、周回壁１５の前面１５２に沿って落下した水滴が斜面１５３を進むと、斜面１５３によって、フード１３から前方に離れる向きの速度成分が水滴に与えられる。これにより、水滴がフード１３の内側に回り込むことが防止される。このようにして、この第２実施形態の場合、落下してきた水滴によりフード１３内の相手コネクタ２０が濡れることが、上述の第１実施形態よりもさらに確実に防止される。
【００３５】
図７は、本発明の第３実施形態のコネクタの斜視図である。第２実施形態の説明の場合と同様、ここでも、上述の第１実施形態との相違点についてのみ、説明する。
【００３６】
上述の第１実施形態のコネクタ１０は、嵌合状態にある相手コネクタ２０を一周に亘って取り巻く形状のフード１３を備えている。これに対し、この図７に示した第３実施形態のコネクタ１０の場合、ハウジング１１には、フード１３ではなく、庇部１６が備えられている。この庇部１６は、嵌合状態の相手コネクタ２０から離間して、上方から眺めたときに相手コネクタ２０の全域を覆っている。図１のフード１３は、図７の庇部１６を兼ねた構造となっている。
【００３７】
ここでは、上方から落下する水滴を食い止めることができれば十分である。したがって、コネクタ１０の実装の姿勢が予め決められているのであれば、図１に示すフード１３に代わり、図７に示す庇部１６を備えてもよい。
【００３８】
図８は、本発明の第４実施形態のコネクタの斜視図である。ここでは、上述の第２実施形態（図４参照）および第３実施形態（図７参照）との相違点についてのみ、説明する。
【００３９】
上述の第２実施形態のコネクタ１０は、フード１３の開口１３１側前端近傍においてフード１３の外面に立設してフード１３を一周に亘って取り巻く周回壁１５を備えている。これに対し、この図８に示した第４実施形態のコネクタ１０の場合、周回壁１５ではなく、立壁１７を備えている。この立壁１７は、庇部１６の前端近傍において庇部１６の上面に立設し嵌合方向に対し交わる向きに延びている。コネクタ１０の実装の姿勢が予め決められているのであれば、図４に示すフード１３および周回壁１５に代わり、図８に示す庇部１６および立壁１７を備えてもよい。
【符号の説明】
【００４０】
１０    コネクタ
１１    ハウジング
１２    嵌合開口
１３    フード
１３１  開口
１４    フランジ
１５    周回壁
１５１  背面
１５２  前面
１５３  斜面
１６    庇部
１７    立壁
１８    リブ
２０    相手コネクタ
３０    ユニットケース
４０ａ，４０ｂ，４０ｃ，４０ｄ  水滴
【図１】
2020080237.tif 000003
【図２】
2020080237.tif 000004
【図３】
2020080237.tif 000005
【図４】
2020080237.tif 000006
【図５】
2020080237.tif 000007
【図６】
2020080237.tif 000008
【図７】
2020080237.tif 000009
【図８】
2020080237.tif 000010